(57)【要約】【課題】表示器と鏡体を共に起伏させる構造のものにおいて、表示器と鏡体との間隔を十分にとることなしに、起伏作動時における表示器と鏡体との干渉を回避することができ、これにより、インストルメントパネル上面に穴が開くことを防止することが可能なヘッドアップディスプレイの収納構造の提供。【解決手段】少なくとも表示器２は表示器２が収容されるインストルメントパネル５内に設けられるケース１１の内底部１１ａと表示器２との間に表示器２の起伏方向に沿って所定間隔のもとに設けられた長さの異なる一対の回動リンク３３，３４を介して起伏されるように構成される。【選択図】        図８
2004276648.tif 000002
【特許請求の範囲】
【請求項１】
情報表示器および鏡体がそれぞれ光学的に設定された傾斜角度に起きた使用状態とインストルメントパネルの内部に伏せた収納状態とに起伏自在に設けられ、使用状態においては前記情報表示器の表示像を鏡体を介して反射させコンバイナに照射して情報を見せるヘッドアップディスプレイにおいて、
少なくとも前記情報表示器は該情報表示器が収容されるインストルメントパネル内の固定基部と前記情報表示器との間に該情報表示器の起伏方向に沿って所定間隔のもとに設けられた長さの異なる一対の回動リンクを介して起伏されるように構成されていることを特徴とするヘッドアップディスプレイの収納構造。
【請求項２】
請求項１に記載のヘッドアップディスプレイの収納構造において、前記情報表示器および鏡体を伏せた収納状態では前記情報表示器および鏡体の上面が前記インストルメントパネルの一部の面を構成するようになっていることを特徴とする。
【請求項３】
請求項２に記載のヘッドアップディスプレイの収納構造において、前記情報表示器および鏡体を伏せた収納状態では前記インストルメントパネルの開口が閉じられるように構成されていることを特徴とする。
【請求項４】
請求項１〜３のいずれか１項に記載のヘッドアップディスプレイの収納構造において、伏せた収納状態の前記情報表示器と鏡体とが並べて配置されていることを特徴とする。
【請求項５】
請求項１〜４のいずれか１項に記載のヘッドアップディスプレイの収納構造において、前記情報表示器の表示面が、該情報表示器を伏せた収納状態で前記インストルメントパネルの内部側となるように設けられていることを特徴とする。
【発明の詳細な説明】
【０００１】
【発明の属する技術分野】
本発明は、情報表示器および鏡体がそれぞれ光学的に設定された傾斜角度に起きた使用状態とインストルメントパネルの内部に伏せた収納状態とに起伏自在に設けられ、使用状態においては前記情報表示器の表示像を鏡体を介して反射させコンバイナに照射して情報を見せるヘッドアップディスプレイの収納構造に関する。
【０００２】
【従来の技術】
従来のヘッドアップディスプレイは、非使用状態でダッシュボード（インストルメントパネル）面と概略面一になるカバー体を設け、コンバイナをその下方に設け、使用する際には、カバー体をコンバイナの上方から退避させ、コンバイナを起立させるようになっている（例えば、特許文献１参照。）。
【０００３】
【特許文献１】
特開平１１−９１４０３号公報
【０００４】
【発明が解決しようとする課題】
しかしながら、従来例のように、コンバイナ等の薄い一つの部品のみを起伏させる構造である場合には、さほど問題ではないが、情報表示器と鏡体のように少なくとも一方が厚みを有していて互いに近接する両部品を共に起伏させる構造である場合にあっては、両部品相互間に十分な隙間を持たせておかないと、起伏作動時に両部品が互いに干渉して起伏作動ができなくなる。
【０００５】
このように、両部品相互間に十分な隙間を持たせた構造とすると、インストルメントパネル表面に穴が開いた状態となり、物が落ち込んだり、埃が入り込むと共に、見栄えが悪くなるという問題がある。
【０００６】
そこで、穴を塞ぐには、別に閉塞部品および該閉塞部品を開閉するための機構が必要になるため、コストが高くつくと共に、余分な開閉機構により収納状態における全体の機構が大きくなり、インストルメントパネル内におけるレイアウトの自由度を低下させることになるという問題がある。
【０００７】
本発明は、上記問題点に着目してなされたもので、その目的とするところは、情報表示器と鏡体を共に起伏させる構造のものにおいて、情報表示器と鏡体との間隔を十分にとることなしに、起伏作動時における情報表示器と鏡体との干渉を回避することができ、これにより、インストルメントパネル上面に穴が開くことを防止することが可能なヘッドアップディスプレイの収納構造を提供することにある。
【０００８】
【課題を解決するための手段】
上記目的を達成するため、請求項１記載のヘッドアップディスプレイの収納構造は、情報表示器および鏡体がそれぞれ光学的に設定された傾斜角度に起きた使用状態とインストルメントパネルの内部に伏せた収納状態とに起伏自在に設けられ、使用状態においては前記情報表示器の表示像を鏡体を介して反射させコンバイナに照射して情報を見せるヘッドアップディスプレイにおいて、少なくとも前記情報表示器は該情報表示器が収容されるインストルメントパネル内の固定基部と前記情報表示器との間に該情報表示器の起伏方向に沿って所定間隔のもとに設けられた長さの異なる一対の回動リンクを介して起伏されるように構成されていることを特徴とする手段とした。
【０００９】
請求項２記載のヘッドアップディスプレイの収納構造は、請求項１に記載のヘッドアップディスプレイの収納構造において、前記情報表示器および鏡体を伏せた収納状態では前記情報表示器および鏡体の上面が前記インストルメントパネルの一部の面を構成するようになっていることを特徴とする手段とした。
【００１０】
請求項３記載のヘッドアップディスプレイの収納構造は、請求項２に記載のヘッドアップディスプレイの収納構造において、前記情報表示器および鏡体を伏せた収納状態では前記インストルメントパネルの開口が閉じられるように構成されていることを特徴とする手段とした。
【００１１】
請求項４記載のヘッドアップディスプレイの収納構造は、請求項１〜３のいずれか１項に記載のヘッドアップディスプレイの収納構造において、伏せた収納状態の前記情報表示器と鏡体とが並べて配置されていることを特徴とする。
【００１２】
請求項５記載のヘッドアップディスプレイの収納構造は、請求項１〜４のいずれか１項に記載のヘッドアップディスプレイの収納構造において、前記情報表示器の表示面が、該情報表示器を伏せた収納状態で前記インストルメントパネルの内部側となるように設けられていることを特徴とする手段とした。
【００１３】
【作用および効果】
請求項１記載の発明では、上述のように構成されるため、ヘッドアップディスプレイを使用する場合には、情報表示器および鏡体をそれぞれ起こすと光学的に設定された傾斜角度に設定された使用状態となり、情報表示器の表示像を鏡体を介して反射させコンバイナに照射して運転者が情報を見れる状態となる。
ヘッドアップディスプレイを使用しない場合には、情報表示器および鏡体をそれぞれ伏せるとインストルメントパネルの内部への収納状態となる。
【００１４】
そして、情報表示器の起伏作動は、インストルメントパネル内の固定基部と情報表示器との間に情報表示器の起伏方向に沿って所定間隔のもとに設けられた長さの異なる一対の回動リンクを介してなされるもので、このため、伏せた収納状態から情報表示器を起こすべく両回動リンクを起こす方向に回動させると、回動初期の所定回動範囲においては情報表示器がインストルメントパネル面と略平行状態を維持して持ち上げられ、その後両回動リンクの起立角度が大きくなるにつれて情報表示器における短い方の回動リンク連結側より長い方の回動リンク連結側が高く持ち上げられることで徐々に傾斜角度が増加し、さらに回動して短い方の回動リンクが上死点を過ぎると情報表示器における短い方の回動リンク連結側が逆に引き下げられる一方、長い方の回動リンク連結側はさらに高く持ち上げられるため、情報表示器の傾斜角度が急激に増加して所定の傾斜角度に設定される。
【００１５】
以上のように、インストルメントパネル内に情報表示器が収納された状態から両回動リンクの回動初期の所定回動範囲においては、情報表示器がインストルメントパネル面と略平行状態を維持して持ち上げ（および引き下げ）られるため、情報表示器と鏡体との間隔を十分にとることなしに、起伏作動時における情報表示器と鏡体との干渉を回避することができるようになる。
【００１６】
従って、インストルメントパネル上面に穴が開くことを防止することができるため、別に閉塞部品および該閉塞部品を開閉するための機構を設ける必要なしに、物の落ち込みや埃が入り込むことが防止され、かつ、見栄えをよくすることができると共に、余分な部品や機構により収納状態における全体の機構を増大させることがないため、インストルメントパネル内におけるレイアウトへの影響を抑制することができるようになるという効果が得られる。
【００１７】
請求項２記載のヘッドアップディスプレイの収納構造では、情報表示器および鏡体を伏せた収納状態では情報表示器および鏡体の上面がインストルメントパネルの一部の面を構成するようになっているため、収納状態における見栄えを良くすることができるようになる。
【００１８】
請求項３記載のヘッドアップディスプレイの収納構造では、情報表示器および鏡体を伏せた収納状態ではインストルメントパネルの開口が閉じられるため、収納状態における車内の気密性や防音性を高めることができるようになる。
【００１９】
請求項４記載のヘッドアップディスプレイの収納構造では、伏せた収納状態の情報表示器と鏡体とが並べて配置されることで、情報表示器と鏡体を合わせて全体で小さい収納スペースで済むため、インストルメントパネル内におけるレイアウトへの影響をさらに抑制することができるようになる。
【００２０】
請求項５記載のヘッドアップディスプレイの収納構造では、情報表示器の表示面が、該情報表示器を伏せた収納状態でインストルメントパネルの内部側となるように設けられることで、収納状態では、情報表示器の表示面は日光があたらないので、日光照射による劣化を抑えることができ、耐久性を高めることができるようになる。
【００２１】
【発明の実施の形態】
以下、本発明のヘッドアップディスプレイの収納構造を図面に基づいて説明する。なお、この発明の実施の形態は、請求項１〜５に記載の発明に対応するものである。
【００２２】
まず、構成を説明する。
図１は本発明の実施の形態のヘッドアップディスプレイの収納構造における使用状態を示す一部断面図、図２は本発明の実施の形態のヘッドアップディスプレイの収納構造における収納状態を示す断面図、図３は本発明の実施の形態のヘッドアップディスプレイの使用状態を示す断面図、図４は本発明の実施の形態のヘッドアップディスプレイの収納構造における収納状態を示す一部切欠斜視図、図５は本発明の実施の形態のヘッドアップディスプレイの収納構造における使用状態を示す一部切欠斜視図、図６は本発明の実施の形態のヘッドアップディスプレイの収納構造における使用状態の光路を示す説明図、図７は本発明の実施の形態のヘッドアップディスプレイの収納構造におけるシステムブロック図、図８は本発明の実施の形態のヘッドアップディスプレイの収納構造における起伏作動時の軌跡を示す作動説明図である。
【００２３】
図１〜８における主要符号を説明すると、１はヘッドアップディスプレイ、１１はケース、２は表示器（情報表示器）、２１はヒートシンク、２２は投光用ＬＥＤ回路、２３はハーフミラー、２４は表示器の蓋部、２５は外光導入レンズ、２６はＬＣＤ（表示面）、２７は開口部、２８は表示器先端軌跡、２９はミラー部先端軌跡、３は表示器用アクチュエータ、３１はモータ、３２はギア群、３３，３４は回動リンク、３５，３６は軸受部、４はミラー部、４１はミラー（鏡体）、４２はミラー部の蓋部、４３はモータ、４４はギア群、４５はミラー部の回転軸、４６はミラー部用アクチュエータ、５はインストルメントパネル、５１はインストルメントパネルの表面部、５２はメータリッド面、５３は開口部、６はフロントガラス、６１は情報表示エリア（コンバイナ）、７は運転者の目、８１はＬＥＤ回路からの光、８２は外部からの光、８３はハーフミラーで反射させた光、８４はミラー部で反射させた光、９１は制御部、９２は光量調整スイッチ、９３はミラー調整スイッチ、９４は起動スイッチ、９５は表示制御部、９６は表示器の位置検出スイッチ、９７はミラー部の位置検出スイッチである。
【００２４】
本発明の実施の形態のヘッドアップディスプレイ１は、図１〜６に示すように、薄い箱型形状の表示器２を設ける。この表示器２は、上面をインストルメントパネル５の一部となる蓋部２４とし、下面を表示面であるＬＣＤ２６で構成する。ＬＣＤ２６は、下方に向かって表示を行う向きに設けるようにする。
【００２５】
表示器２の内部の蓋部２４とＬＣＤ２６の間には、ＬＣＤ２６に向かって光を発する投光用ＬＥＤ回路２２を設ける。投光用ＬＥＤ回路２２は表示器２内部で傾斜させて設けるようにし、裏側部分には、放熱用のヒートシンク２１を設ける。次に、投光用ＬＥＤ回路２２とＬＣＤ２６の間の表示器２内部には、傾斜させてハーフミラー２３を設ける。ハーフミラー２３は表示器２が起立した際に上方に位置する側面で投光用ＬＥＤ回路２２に近く、他端に行くに従ってＬＣＤ２６に近づくように傾斜させて設けるようにする。
【００２６】
このハーフミラー２３は後方からの光を所定の高い透過率で透過するとともに、前方からの光を所定の反射率で反射するものである。
表示器２が起立した際に上方に位置する側面には、開口部２７を設け、この開口部２７には、外部からの光を表示器２内部に取り込むための外光導入レンズ２５を設ける（図２、３、５、６参照）。
【００２７】
表示器２が起立した際に下方に位置する側面の下部に外側に向かって突出した部分を設け、この突出した部分の両側に、回転自在となるよう回動リンク３３の一端部（自由端側）を取り付ける。この回動リンク３３の他端部（基端側）を、表示器２およびミラー部４を収納できる大きさのケース１１の内底部（固定基部）１１ａに設けた軸受部３５に回転自在に取り付ける。この際には、表示器２をケース１１内に伏せた状態に収納した図８の実線で示す状態で、回動リンク３３の基端側が表示器２の突出した部分からミラー部４方向（図面右側）に向かって伸びる状態となるようにする。また、ケース１１の内底部１１ａで、軸受部３５よりミラー部４方向（図面右側）に所定間隔離れた位置で表示器２の両側位置に設けられた軸受部３６に前記回動リンク３３より長い（この発明の実施の形態では約２倍）回動リンク３４の一端部（基端側）を回転自在に取り付け、この回動リンク３４の他端部（自由端）を表示器２の側面に回転自在に取り付ける。この際には、表示器２をケース１１内に伏せた状態に収納した図８の実線で示す状態で、回動リンク３４の自由端側が軸受部３５方向に向かって伸びる状態となるようにする。このように構成することにより、表示器２は回動リンク３３，３４による機構的な動きでケース１１内に伏せた状態と、所定の角度まで起立した状態に自在にできる取り付けとなる。
【００２８】
次に、ケース１１内の表示器２の側方に、表示器用アクチュエータ３を設ける。表示器用アクチュエータ３は、図２〜図５に示すようにモータ３１による駆動力をギア群３２で所定の回転数に減速するものであり、ギア群３２はその減速した駆動力で回動リンク３３を表示器２から離れた方の一端（基端側）を軸に回動させるようにする。
【００２９】
次に、この表示器２部に近接してミラー部４を設ける。ミラー部４は薄い箱型形状で、上面をインストルメントパネル５の一部となる蓋部４２とし、下面には、入力される像を拡大して反射する凹面のミラー４１としている。このミラー部４は、両側の側面に回転軸４５を設けて、伏した状態では、ケース１１内に収納されるとともに蓋部４２がケース１１上面を形成し、表示器２側の側面が上昇するように回転して起立自在となるようにする。
【００３０】
ミラー部４の側方のケース１１内には、ミラー部用アクチュエータ４６を設ける。ミラー部用アクチュエータ４６は、モータ４３の駆動力をギア群４４で所定の回転数に減速させ、減速した駆動力でミラー部４の一方の回転軸４５を回転させるものである。
【００３１】
この表示器２、ミラー部４を取り付けたケース１１を図１に示すようにインストルメントパネル５の内部に取り付ける。これにより、蓋部２４，４２がインストルメントパネル５の一部となる。フロントガラス６の所定の位置には、コンバイナとなる情報表示エリア６１を設ける。この情報表示エリア６１は、この部分を通して外部を見ることができるとともに像を反射して運転者に見せることができるものである。
【００３２】
本発明の実施の形態のヘッドアップディスプレイ１は、図７に示す制御装置にて制御を行う。車内の運転者が操作できる位置に、光量調整スイッチ９２、ミラー調整スイッチ９３、起動スイッチ９４を設け、その入力信号がインストルメントパネル５内部に設けられる制御部９１に入力されるようにし、この制御部９１は、表示器用アクチュエータ３を制御して表示器２を起伏させるようにする。表示器２の起伏状態は位置検出スイッチ９６によって信号で出力され制御部９１に入力される。また、制御部９１は、ミラー部用アクチュエータ４６を制御してミラー部４を起伏させるようにする。ミラー部４の起伏状態は位置検出スイッチ９７によって信号で出力され制御部９１に入力される。
また、表示器２に表示する内容は、表示制御部９５によって制御される。
【００３３】
次に、この発明の実施の形態の作用・効果を説明する。
［使用時の起立作用］
まず、表示器２の起伏作動を図８に基づいて説明する。
本発明の実施の形態のヘッドアップディスプレイ１を使用する際には、図８の実線で示す表示器２およびミラー部４の収納状態（伏せた状態）から、運転者が起動スイッチ９４を入れると、制御部９１が表示器用アクチュエータ３及びミラー部用アクチュエータ４６を作動させる。
【００３４】
表示器用アクチュエータ３を作動させると、モータ３１が作動し、モータ３１の駆動力がギア群３２を介して所定の回転力及び減速した所定の回転速度で回動リンク３３を伏せた状態から時計方向に回転駆動させることとなる。
【００３５】
回動リンク３３が回転すると、該回動リンク３３の自由端側が回転自在に取り付けられた表示器２の突出した部分を持ち上げる一方、この動きと連動して回動リンク３４も伏せた状態から時計方向に回転することで表示器２が持ち上げられる。このため、両回動リンク３３，３４が共に伏せた状態から時計方向に回動する初期段階の所定回動範囲においては表示器２がインストルメントパネル表面部５１と略平行状態を維持して持ち上げられる。
【００３６】
そして、その後両回動リンク３３，３４の起立角度が大きくなるにつれて表示器２における短い方の回動リンク３３の自由端連結側より長い方の回動リンク３４の自由端連結側が高く持ち上げられることで徐々に傾斜角度が増加する。
【００３７】
さらに回動して短い方の回動リンク３３が上死点を過ぎると表示器２における短い方の回動リンク３３の自由端連結側が逆に引き下げられる一方、長い方の回動リンク３４の自由端連結側はさらに高く持ち上げられるため、表示器２の傾斜角度が急激に増加し、図８の一点鎖線で示すように、表示器２が所定の傾斜角度に設定される。
【００３８】
この表示器２の起立は位置検出スイッチ９６によってヘッドアップディスプレイ１の光学的なレイアウトとして設定された位置まで移動して停止する。
【００３９】
以上のように、インストルメントパネル５内に表示器２が収納された状態から両回動リンク３３，３４の回動初期の所定回動範囲においては、表示器２がインストルメントパネル表面部５１と略平行状態を維持して持ち上げ（および引き下げ）られるため、表示器２とミラー部４との間隔を十分にとることなしに、起伏作動時における表示器２とミラー部４との干渉を回避することができるようになる（表示器先端軌跡２８参照）。
【００４０】
従って、インストルメントパネル５の上面に穴が開くことを防止することができるため、別に閉塞部品および該閉塞部品を開閉するための機構を設ける必要なしに、物の落ち込みや埃が入り込むことが防止され、かつ、見栄えをよくすることができると共に、開口部を閉塞するための余分な部品や機構により収納状態における全体の機構を増大させることがないため、インストルメントパネル５内におけるレイアウトへの影響を抑制することができるようになるという効果が得られる。
【００４１】
また、表示器用アクチュエータ３の作動とともにミラー部用アクチュエータ４６が作動すると、モータ４３が作動し、モータ４３の駆動力がギア群４４を介して所定の回転力及び減速した所定の回転速度でミラー部４の回転軸４５を時計方向に回転させる。この回転軸４５の回転によって、ミラー部４が図８の実線で示す伏した収納状態から、図８の一点鎖線で示すように約１４０度回転した使用状態になる（ミラー部先端軌跡２９参照）。
【００４２】
このミラー部４の起立は位置検出スイッチ９７によってヘッドアップディスプレイ１の光学的なレイアウトとして設定された位置（図８の一点鎖線で示す位置）まで回動して停止する。
【００４３】
ここでの、表示器２およびミラー部４の光学的レイアウトとは車両アイポイントをもとにヘッドアップディスプレイ１の表示像がフロントガラス６の表示許容範囲内に最適に表示されるように検討されたレイアウトを指す。
【００４４】
以上のように、表示器２およびミラー部４を伏せた収納状態では表示器２およびミラー部４の上面がインストルメントパネル５の一部の面を構成するようになっているため、収納状態における見栄えを良くすることができるようになる。
【００４５】
また、表示器２およびミラー部４を伏せた収納状態ではインストルメントパネル５の開口部５３が閉じられるため、収納状態における車内の気密性や防音性を高めることができるようになる。
【００４６】
また、伏せた収納状態の表示器２とミラー部４とが並べて配置されることで、表示器２とミラー部４を合わせて全体で小さい収納スペースで済むため、インストルメントパネル５内におけるレイアウトへの影響をさらに抑制することができるようになる。
【００４７】
［ヘッドアップディスレイの表示作用］
次に、表示作用を図１、６に基づいて説明する。
以上のように表示器２とミラー部４を起立させたならば、表示制御部９５で制御した表示をＬＣＤ２６に表示するとともに投光用ＬＥＤ回路２２から光８１をＬＣＤ２６に向けて発するようにし、投光用ＬＥＤ回路２２からの光８１がハーフミラー２３を通過してＬＣＤ２６に照射されるようにする。
【００４８】
ＬＣＤ２６に表示した像は照射された光によって、ミラー部４のミラー４１で反射されてフロントガラス６に設けた情報表示エリア６１に表示される。この表示像を運転者が見ることになる。
【００４９】
運転者が表示を見にくい場合にはミラー調整スイッチ９３を操作し、フロントガラス６の情報表示エリア６１に表示した像が本人の最も見やすい位置に来るようにミラー角度の調整を行って像を上下させる。
【００５０】
投光用ＬＥＤ回路２２が発光するのに伴って生じる熱は、投光用ＬＥＤ回路２２の裏面に設けられた熱伝導率の高いヒートシンク２１によって車室内に放出する。これにより、投光用ＬＥＤ回路２２が高熱になりすぎることを防ぎ、故障等を防止し、長期間使用できるようにする。
【００５１】
［ＬＣＤの保護作用］
ヘッドアップディスプレイ１を使用しない状態では、ＬＣＤ２６はインストルメントパネル５内に設けたケース１１内に収納され、インストルメントパネル５の開口部５３は表示器２とミラー部４の蓋部４２で閉じられるため、ＬＣＤ２６に外部からの日光があたらないようになる。このため、ＬＣＤ２６に日光照射による劣化が抑えられ、ＬＣＤ２６の故障や劣化の防止になる。
【００５２】
［高輝度な表示作用］
ヘッドアップディスプレイ１の表示像は、夜間では低出力の光量でも充分な輝度でフロントガラス６に表示させることができるが、昼間では、晴天時などにおいて表示器２からの光量が不足し充分にクリアな表示像が得られないことがある。
【００５３】
この発明の実施の形態では、ヘッドアップディスプレイ１では、起立させた表示部の上部となる側面部に外光導入レンズ２５を設けているので、この外光導入レンズ２５により外部から表示器２内に光を取り入れ、この光をハーフミラー２３で反射させてＬＣＤ２６に向かうようにし、外部の光も表示に利用するようにし、表示を高輝度にすることで、昼間も表示を見やすくしている。
このように、外部からの光りが投光用ＬＥＤ回路２２の光りを補うことで、消費電気量を抑制することができるようになる。
【００５４】
また、表示部２が、投光用ＬＥＤ回路２２と所定の間隔を開けてＬＣＤ２６を設けて投光用ＬＥＤ回路２２からＬＣＤ２６に向かって投光するようにし、投光用ＬＥＤ回路２２とＬＣＤ２６の間の表示器２外周に外光導入レンズ２５を設け、投光用ＬＥＤ回路２２とＬＣＤ２６の間に外光導入レンズ２５からの光りをＬＣＤ２６に向かって反射させ、かつ投光用ＬＥＤ回路２２からの光りをＬＣＤ２６に向かうように透過させるハーフミラー２３を設けたため、投光用ＬＥＤ回路２２からの光りと外部から取り入れられた光りの両方が利用でき、さらに高輝度な見易い表示報じにすることができるようになる。
【００５５】
使用が終わったならば、起動スイッチ９４を切るようにして、制御部９１によって、表示器用アクチュエータ３およびミラー部用アクチュエータ４６を作動させて、表示器２およびミラー部４を図２，４の状態に収納するようにすればよい。このように起動スイッチ９４を用いることにより、運転者が使用したくない場合に、ヘッドアップディスプレイ１をインストルメントパネル５内部に収納した状態では存在を感じさせないので、より運転者の好みに合わせるようにもなる。
【００５６】
以上、本発明の実施の形態を説明してきたが、本発明は上述の発明の実施の形態に限られるものではなく、本発明の要旨を逸脱しない範囲の設計変更等があっても、本発明に含まれる。
【００５７】
例えば、発明の実施の形態では、ミラー部５を回転軸４５を中心として回動させることにより起伏作動させるようにしたが、表示器２と同様に一対の回動リンクを介して起伏作動させるようにしてもよい。
【００５８】
また、発明の実施の形態では、表示器用アクチュエータ３とミラー部用アクチュエータ４６とを独立に設けたが、同一のアクチュエータにより起伏作動させるようにしてもよい。
【００５９】
また、発明の実施の形態では、外光導入レンズ２５で外部の光を導入し、ハーフミラー２３で反射させて用いていたが、樹脂やガラス等のガイドライド（プリズム）等を用いるようにして一つの部品とコストを抑制してもよい。
【００６０】
また、発明の実施の形態では、ヘッドアップディスプレイ１の構成に周辺の明るさおよび表示器２の明るさを比較するセンサを加えて、昼間でも曇りや雨などある程度明るい場合などに応じて、取り入れる外光に対して補足的に発光させるようにし、装置としてのエネルギー使用量を低減させるようにしてもよい。
【００６１】
また、発明の実施の形態では、運転者の起動スイッチ９４の操作によって、ヘッドアップディスプレイ１の起動を行ったが、車両のＡＣＣと連動して起動させることで、常設された機器と同様に使用することもできる。
【図面の簡単な説明】
【図１】本発明の実施の形態のヘッドアップディスプレイの収納構造における使用状態を示す一部断面図である。
【図２】本発明の実施の形態のヘッドアップディスプレイの収納構造における収納状態を示す断面図である。
【図３】本発明の実施の形態のヘッドアップディスプレイの使用状態を示す断面図である。
【図４】本発明の実施の形態のヘッドアップディスプレイの収納構造における収納状態を示す一部切欠斜視図である。
【図５】本発明の実施の形態のヘッドアップディスプレイの収納構造における使用状態を示す一部切欠斜視図である。
【図６】本発明の実施の形態のヘッドアップディスプレイの収納構造における使用状態の光路を示す説明図である。
【図７】本発明の実施の形態のヘッドアップディスプレイの収納構造におけるシステムブロック図である。
【図８】本発明の実施の形態のヘッドアップディスプレイの収納構造における起伏作動時の軌跡を示す作動説明図である。
【符号の説明】
１  ヘッドアップディスプレイ
１１  ケース
１１ａ  ケースの内底部（固定基部）
２  表示器（情報表示器）
２１  ヒートシンク
２２  投光用ＬＥＤ回路
２３  ハーフミラー
２４  （表示器の）蓋部
２５  外光導入レンズ
２６  ＬＣＤ
２７  開口部
２８  表示器先端軌跡
２９  ミラー部先端軌跡
３  表示器用アクチュエータ
３１  モータ
３２  ギア群
３３  回動リンク
３４  回動リンク
３５  軸受部
３６  軸受部
４  ミラー部
４１  ミラー
４２  （ミラー部の）蓋部
４３  モータ
４４  ギア群
４５  回転軸
４６  ミラー部用アクチュエータ
５  インストルメントパネル、
５１  （インストルメントパネルの）表面部
５２  （インストルメントパネルの）メータリッド面
５３  開口部
６  フロントガラス
６１  情報表示エリア
７  運転者の目
８１  （ＬＥＤ回路からの）光
８２  （外部からの）光
８３  （ハーフミラーで反射させた）光
８４  （ミラー部で反射させた）光
９１  制御部
９２  光量調整スイッチ
９３  ミラー調整スイッチ
９４  起動スイッチ
９５  表示制御部
９６  （表示器の）位置検出スイッ
９７  （ミラー部の）位置検出スイッチ
【図１】
2004276648.tif 000003
【図２】
2004276648.tif 000004
【図３】
2004276648.tif 000005
【図４】
2004276648.tif 000006
【図５】
2004276648.tif 000007
【図６】
2004276648.tif 000008
【図７】
2004276648.tif 000009
【図８】
2004276648.tif 000010